(57)【特許請求の範囲】
【請求項１】
天井高が０．９〜１．４ｍの収納空間を備え、上下方向のうちの少なくとも一つの方向において前記収納空間に隣接して部屋が設けられており、且つ、前記収納空間を形成する壁のうちの少なくとも一つは外壁で構成されており、前記収納空間と前記部屋とを仕切る床にはそれぞれその収納空間の外周部に離間して、前記収納空間の換気を行う換気口が複数設けられており、更に前記外壁にも換気扇を有する換気口が設けられており、前記床の複数の換気口のうち少なくとも一つには、前記部屋と収納空間との間で一方向に空気を流通させる換気扇が設けられており、前記換気扇によって、前記部屋から前記収納空間へ向けて空気を前記換気扇が設けられた換気口を通して流通させ、前記収納空間に存在していた空気は、換気扇が設けられていない換気口から前記部屋内に排出される収納空間の換気構造であって、前記外壁に設けられた換気扇を有する換気口と、前記床に設けられた換気扇を有する換気口とは、上記収納空間の垂直方向において同一側であり、同じく上記収納空間の水平方向において反対側に設けられていることを特徴とする収納空間の換気構造。
【発明の詳細な説明】
【技術分野】
【０００１】
本発明は、住宅等の建物の内部に設けられた収納空間の換気構造に関する。
【背景技術】
【０００２】
大型の収納室を備えた建物の一例として、特許文献１に記載のものが知られている。この建物では、１階と２階との間に収納室（収納空間）が設けられており、この収納室に隣接して居室が設けられている。この収納室の天井高は１．４ｍ程度であり、収納室への出入口は居室に面して設けられている。したがって、収納室へは居室から出入口を通って自由に出入りでき、また、収納室の天井高が１．４ｍ程度あるので、大人でも腰を屈めた状態で出入りできるとともに、収納室内での作業も比較的容易に行うことができる。
【特許文献１】特開２００４−１１３３６号公報
【発明の開示】
【発明が解決しようとする課題】
【０００３】
ところで、上記のような建物では、上述したように大型の収納室を備え、出入りが容易であるので、この収納室には多種多様の収納物が収納されるとともに、収納室内で長時間に亙って収納作業やその他の作業をする場合がある。
収納物によっては、湿度や温度を一定の範囲に保持して収納する必要があったり、また、収納室内で作業する場合は、収納室内の換気を行うことが好ましい。
しかし、上記公報には収納室（収納空間）の換気構造については何等記載されていない。
【０００４】
本発明は上記事情に鑑みてなされたものであり、収納空間の換気を容易かつ確実に行うことができる収納空間の換気構造を提供することを課題としている。
【課題を解決するための手段】
【０００５】
上記課題を解決するために、本願発明は、天井高が０．９〜１．４ｍの収納空間を備え、上下方向のうちの少なくとも一つの方向において前記収納空間に隣接して部屋が設けられており、且つ、前記収納空間を形成する壁のうちの少なくとも一つは外壁で構成されており、前記収納空間と前記部屋とを仕切る床にはそれぞれその収納空間の外周部に離間して、前記収納空間の換気を行う換気口が複数設けられており、更に前記外壁にも換気扇を有する換気口が設けられており、前記床の複数の換気口のうち少なくとも一つには、前記部屋と収納空間との間で一方向に空気を流通させる換気扇が設けられており、前記換気扇によって、前記部屋から前記収納空間へ向けて空気を前記換気扇が設けられた換気口を通して流通させ、前記収納空間に存在していた空気は、換気扇が設けられていない換気口から前記部屋内に排出される収納空間の換気構造であって、前記外壁に設けられた換気扇を有する換気口と、前記床に設けられた換気扇を有する換気口とは、上記収納空間の垂直方向において同一側であり、同じく上記収納空間の水平方向において反対側に設けられていることを特徴とする収納空間の換気構造としている。
【発明の効果】
【００２０】
本発明によれば、天井高が０．９〜１．４ｍの収納空間を備え、上下方向または水平方向のうちの少なくとも一つの方向において前記収納空間に隣接して部屋が設けられており、天井高が０．９〜１．４ｍの収納空間と、上下方向または水平方向のうちの少なくとも一つの方向において前記収納空間に隣接して設けられた部屋とを仕切る床または壁に、前記収納空間の換気を行う換気口が複数設けられているので、該換気口を通して部屋内の空気を収納空間へ供給でき、収納空間内の空気を部屋に排出できる。そして、部屋内の空気は、通常換気されるので、収納空間の空気も前記換気口を通して換気されることになる。したがって、収納空間の換気を容易かつ確実に行うことができる。
また、換気扇によって、部屋と収納空間との間で空気の流れを強制的に発生させることができるので、換気扇によって、部屋から収納空間へと換気口を通して空気を強制的に供給すると、他の換気口から収納空間の空気が部屋へと排出される。したがって、収納空間の換気を効率的かつ確実に行える。
【発明を実施するための最良の形態】
【００２１】
以下、図面を参照して本発明の実施の形態について説明する。
図１は本発明に係る収納空間の換気構造を備えた建物の概略構成を示す断面図である。この図に示す建物は、２階建ての建物であり、１階の部屋１と２階の部屋２との間に収納空間３が設けられている。つまり、本実施の形態では、収納空間３の上下方向の双方に、部屋１，２がそれぞれ設けられている。
【００２２】
収納空間３の天井高は、０．９〜１．４ｍ程度に設定されており、この収納空間３に水平方向に隣接して部屋４が設けられている。この部屋４の床４ａと、収納空間３の床３ａとは同レベルに位置しており、収納空間３への出入口は収納空間３と部屋４とを仕切る壁に設けられており、さらに部屋４に面している。したがって、収納空間３には、部屋４から出入口を通って出入り可能となっている。なお、収納空間３の天井高は０．９〜１．４ｍ程度に設定されているので、大人が腰を屈めた状態で収納空間３に出入りできるとともに、収納空間３で作業できるようになっている。また、収納空間３に椅子等を載置すれば、大人が椅子に座って作業できるようになっている。
【００２３】
また、収納空間３と下の部屋１とを仕切る床３ａには、換気口５ａ，５ｂが左右に離間して設けられている。さらに、収納空間３と上の部屋２とを仕切る床３ｂには、換気口６ａ，６ｂが左右に離間して設けられている。
前記換気口５ａ，５ｂは床３ａを上下に貫通するようにして形成された貫通孔であり、一方の換気口５ａには、図２に示すように、換気扇７が設けられている。この換気扇７は部屋１から収納空間３へ向けて空気を換気口５ａを通して流通させるものであり、この換気扇７によって強制的に収納空間３で空気が流通することによって、収納空間３内には破線の矢印で示すような、空気の流れＡ１が生じるようになっている。
また、前記換気口６ａ，６ｂは床３ｂを上下に貫通するようにして形成された貫通孔であり、一方の換気口５ｂには、換気扇８が設けられている。この換気扇８は部屋２から収納空間３へ向けて空気を換気口６ｂを通して流通させるものであり、この換気扇８によって強制的に収納空間３で空気が流通することによって、収納空間３内には実線の矢印で示すような、空気の流れＡ２が生じるようになっている。
したがって、収納空間３内では、前記空気の流れＡ１，Ａ２によって、鉛直面内において時計回りに回転するような空気の流れが形成される。そして、この空気の流れに沿って、換気口５ａ，６ｂを通して部屋１，２内の新鮮な空気が収納空間３に供給され、この収納空間３に存在していた空気は、換気口５ｂ，６ａを通して部屋１，２内に排出されるようになっている。
【００２４】
さらに、前記収納空間３を形成する外壁９には、外部換気口１０が設けられている。この外部換気口１０は、外壁９を水平方向に貫通するようにして形成された貫通孔であり、この外部換気口１０には、換気扇１１が設けられている。
この換気扇１１は、外部の新鮮な空気を外部換気口１０を通して収納空間３へ向けて供給するものであり、この換気扇１１によって強制的に流入された新鮮な空気は、前記空気の流れＡ１，Ａ２に沿って、収納空間３内を流通し、前記排気口５ｂ，６ａを通して、部屋１，２に排出されるようになっている。
【００２５】
このように、本実施の形態によれば、収納空間３と部屋１，２とを仕切る床３ａ，３ｂに、収納空間３の換気を行う換気口５ａ，５ｂ，６ａ，６ｂが複数設けられているので、該換気口５ａ，５ｂを通して部屋１，２内の空気を収納空間３へ供給でき、収納空間３内の空気を換気口５ｂ，６ａを通して部屋１，２に排出できる。そして、部屋１，２内の空気は、通常、部屋１，２にそれぞれ設けられている空調機によって換気されるので、収納空間３の空気も前記換気口５ａ，５ｂ，６ａ，６ｂを通して換気されることになる。したがって、収納空間３の換気を容易かつ確実に行うことができる。
また、収納空間３の上下方向の双方に、部屋１，２がそれぞれ設けられているので、上下の部屋１，２から換気口５ａ，６ｂを通して収納空間３に空気を供給できるとともに、収納空間３から換気口５ｂ，６ａを通して上下の部屋１，２に空気を排出できるので、収納空間３の換気を素早く行える。
【００２６】
さらに、換気扇７，８によって、部屋１，２と収納空間３との間で空気の流れを強制的に発生させることができるとともに、収納空間３内では、前記空気の流れＡ１，Ａ２によって、時計回りに回転するような空気の流れが形成される。そして、この空気の流れに沿って、換気口５ａ，６ｂを通して部屋１，２内の新鮮な空気が収納空間３に供給され、この収納空間３に存在していた空気は、換気口５ｂ，６ａを通して部屋１，２内に排出されるので、収納空間３の換気を効率的かつ確実に行える。
また、換気口５ａ，６ｂを通して部屋１，２内の空気を収納空間３へ供給でき、収納空間３内の空気を換気口５ｂ，６ａを通して部屋１，２に排出できるうえ、外部換気口１０を通して外部の新鮮な空気を換気扇１１によって強制的に収納空間３に供給できるので、収納空間３の換気効率を高めることができる。
【００２７】
なお、本実施の形態では、収納空間３の上下の双方にそれぞれ部屋１，２を設けたが、これに限ることなく、収納空間３の上下方向のうち、一方に部屋を設けてもよい。この場合も、部屋と収納空間３とを仕切る床に、換気口を複数設けるとともに、これら換気口に適宜換気扇を設けてもよい。
【００２８】
図３は、本発明に係る収納空間の換気構造の他の実施の形態を示す平断面図である。この実施の形態では、天井高が０．９〜１．４ｍの収納空間１３を備えており、この収納空間１３の水平方向左方において、該収納空間１３に隣接して部屋１２が設けられている。
また、この部屋１２の床と、収納空間１３のとは同レベルに位置しており、収納空間１３への出入口１３ａは収納空間１３と部屋１２とを仕切る壁１３ｂに設けられており、さらに部屋１２に面している。したがって、収納空間１３には、部屋１２から出入口１３ａを通って出入り可能となっている。
【００２９】
そして、本実施の形態では、部屋１２の空気を収納空間１３に供給し、収納空間１３の空気を部屋１２に排出するようになっている。
すなわち、収納空間１３と部屋１２とを仕切る壁１３ｂには、換気口１５ａ，１５ｂが左右に離間して設けられている。換気口１５ａ，１５ｂは壁３ｂを水平方向に貫通するようにして形成された貫通孔であり、一方の換気口１５ａには、換気扇１７が設けられている。この換気扇７は部屋１２から収納空間１３へ向けて空気を換気口１５ａを通して流通させるものであり、この換気扇１７によって強制的に収納空間１３で空気が流通することによって、収納空間１３内には実線の矢印で示すような、空気の流れＡ３が生じるようになっている。
したがって、収納空間１３内では、前記空気の流れＡ３によって、水平面内において時計回りに回転するような空気の流れが形成される。そして、この空気の流れに沿って、換気口１５ａを通して部屋１２内の新鮮な空気が収納空間１３に供給され、この収納空間１３に存在していた空気は、換気口１５ｂを通して部屋１２内に排出されるようになっている。
【００３０】
さらに、前記収納空間１３を形成する外壁１９には、外部換気口２０が設けられている。この外部換気口２０は、外壁１９を水平方向に貫通するようにして形成された貫通孔であり、この外部換気口２０には、換気扇２１が設けられている。
この換気扇２１は、外部の新鮮な空気を外部換気口２０を通して収納空間１３へ向けて供給するものであり、この換気扇２１によって強制的に流入された新鮮な空気は、前記空気の流れＡ３に沿って、収納空間１３内を流通し、前記排気口１５ｂを通して、部屋１２に排出されるようになっている。
【００３１】
このように、本実施の形態によれば、収納空間１３と部屋１２とを仕切る壁１３ｂに、収納空間１３の換気を行う換気口１５ａ，１５ｂが複数設けられているので、該換気口１５ａを通して部屋１２内の空気を収納空間１３へ供給でき、収納空間１３内の空気を換気口１５ｂを通して部屋１２に排出できる。そして、部屋１２内の空気は、通常、部屋１２に設けられている空調機によって換気されるので、収納空間１３の空気も前記換気口１５ａ，１５ｂを通して換気されることになる。したがって、収納空間１３の換気を容易かつ確実に行うことができる。
また、換気扇１７によって、部屋１２と収納空間１３との間で空気の流れを強制的に発生させることができるとともに、収納空間１３内では、前記空気の流れＡ３によって、時計回りに回転するような空気の流れが形成される。そして、この空気の流れに沿って、換気口１５ａを通して部屋１２内の新鮮な空気が収納空間１３に供給され、この収納空間１３に存在していた空気は、換気口１５ｂを通して部屋１２内に排出されるので、収納空間１３の換気を効率的かつ確実に行える。
また、換気口１５ａを通して部屋１２内の空気を収納空間１３へ供給でき、収納空間１３内の空気を換気口１５ｂを通して部屋１２に排出できるうえ、外部換気口２０を通して外部の新鮮な空気を換気扇２１によって強制的に収納空間１３に供給できるので、収納空間１３の換気効率を高めることができる。
【００３２】
なお、本実施の形態では、収納空間１３を形成する壁１３ｂに換気口１５ａ，１５ｂを設けたが、その代わりに、またはそれに加えて、収納空間を形成する他の壁１３ｃ，１３ｄに換気口を設けてもよいし、これら換気口に適宜換気扇を設けてもよい。
さらに、収納空間１３の上下方向のうちの少なくとも一つの方向において前記収納空間１３に隣接して部屋を設けてもよい。この場合、該部屋と収納空間１３とを仕切る床に換気扇を設ければよいし、これら換気口に適宜換気扇を設けてもよい。
【図面の簡単な説明】
【００３３】
【図１】本発明の収納空間の換気構造を備えた建物の側断面図である。
【図２】図１における要部の側断面図である。
【図３】本発明の他の実施の形態を示す平断面図である。
【符号の説明】
【００３４】
１，２，４，１２  部屋
３，１３  収納空間
３ａ，３ｂ  床
５ａ，５ｂ，６ａ，６ｂ，１５ａ，１５ｂ  換気口
７，８，１７  換気扇
９，１９  外壁
１３ｂ  壁
１０，２０  外部換気口
１１，２１  換気扇
【図１】
0004035531.tif 000002
【図２】
0004035531.tif 000003
【図３】
0004035531.tif 000004